(57)【要約】【課題】  幼児用ティーシャツの襟ぐりから成人用衣服用ハンガーを出し入れ容易にする。【解決手段】  フック格納衣服用ハンガーの中央にフック格納ケースが形成され、フック格納ケースの左右はフックベースガイドレールであって、フック格納ケースにフック格納ケースカバーが装着され、左右のフックベースガイドレールの間に設けられたフフックベースとフックは左右のフックベースガイドレールの間で上下動自在であって、フック格納ケースの端にスプリング装着軸が設けられ、スプリング装着軸にフック跳ね上げスプリングが装着され、フック格納ケースの背面にフックベースストッパーがシーソー状態に装着され、フックを押し下げ、フックベースをフックベースストッパーで係止出来て、フックをフック格納ケース内に保持出来る衣服用ハンガー。【選択図】  図６
2019005253.tif 000002
【特許請求の範囲】
【請求項１】
衣服用ハンガーにおいて、フック格納衣服用ハンガーは、フック格納衣服用ハンガーの中央にフック格納ケースが形成され、フック格納ケースの左右は縦に長いフックベースガイドレールであって、フック格納ケースにフック格納ケースカバーが装着され、フック格納ケースから左と右に伸びる肩アームが形成されていて、左右のフックベースガイドレールの間に設けられたフックベースにフックが装着されていて、フックベースとフックは左右のフックベースガイドレールの間で上下動自在であって、フック格納ケースの端にスプリング装着軸が設けられ、スプリング装着軸にフック跳ね上げスプリングが装着され、フック跳ね上げスプリングの一端はフックベースに形成されたスプリングはめ込み溝にはまっていて、フック格納ケースの背面にフックベースストッパー軸軸受けが形成され、フックベースストッパー軸受けにフックベースストパー軸がはっまていて、フックベースストッパーはフックベースストッパー軸を支点としてシーソー状態であって、フックを押し下げ、フックベースをフックベースストッパーで係止出来て、フックをフック格納ケース内に保持出来る、と共に、フックベースストッパー上部を押してフックをフック格納ケースの上に戻する事が出来ることを特徴とする衣服用ハンガー。
【請求項２】
前記、左右の肩アームに装着された肩幅拡張パットの上部に先割れフック軸穴が設けられ、先割れフック軸穴に肩前後拡張パットに設けられた先割れフック軸が貫通され、肩前後拡張パットは肩幅拡張パットの上部で先割れフック軸を支点として回転自在になっている事を特徴とする請求項１に記載の衣服用ハンガー。
【請求項３】
衣服用ハンガーにおいて、フック格納衣服用ハンガーは、フック格納衣服用ハンガーの中央にフック格納ケースが形成され、フック格納ケースにフック格納ケースカバーが装着され、フック格納ケースカバーとフック格納ケースの上部の端にフックベース軸軸受けが設けられ、フックベース軸軸受けにフックを有するフックベースの一端に設けられたフックベース軸がはまっていて、フックベースはフックベース軸を支点として揺動できて、フックベース軸にフック跳ね上げスプリングが装着されていて、フック格納ケースの背面にフックベースストッパー軸軸受けが形成され、フックベースストッパー軸軸受けにフックベースストパー軸がはまっていて、フックベースストッパーはフックベースストッパー軸を支点としてシーソー状態になっている、と共に、フックベースストッパーの下端の位地は保たれていいて、フックを押し下げ、フックベースをフックベースストッパーで係止出来て、フックをフック格納ケース内に保持出来る、と共に、フックベースストッパー上部を押してフックをフック格納ケースの上に戻する事が出来ることを特徴とする衣服用ハンガー。
【請求項４】
衣服用ハンガーにおいて、衣服用ハンガーはフックから左右に伸びる肩アームに装着された肩幅拡張パットの上部に先割れフック軸穴が設けられ、先割れフック軸穴に肩前後拡張パットに設けられた先割れフック軸が貫通され、肩前後拡張パットは肩幅拡張パットの上部で先割れフック軸を支点として回転自在になっている、と共に肩幅拡張パットにアンダーウエアーフックが形成されている事を特徴とする衣服用ハンガー。
【請求項５】
衣服用ハンガーにおいて、衣服用ハンガーはフックから左右に伸びた肩アームであって、左右の肩アームに先割れフック軸穴が設けられ、先割れフック軸穴に肩前後拡張パットに設けられた先割れフック軸が貫通していて、肩前後拡張パットは肩アームの上部で先割れフック軸を支点として回転自在になっている事を特徴とする衣服用ハンガー。
【発明の詳細な説明】
【技術分野】
【０００１】
この発明は洗濯物乾燥に用いる衣服用ハンガーであって、幼児用から成人用迄丸首トレーナー、タートルネック、Tシャツ等の狭い衿ぐりから衣服用ハンガーを容易に出し入れすることが出来る、衣服用ハンガーに関する。
【背景技術】
【０００２】
従来狭い衿ぐりから出し入れするための衣服用ハンガーは、ハンガーを中心にハンガーの左右を下に長く折り畳む形状のもの、又は、左又は右から中心に寄せて肩幅を狭くするものが見られた。
【先行技術文献】
【特許文献】
【０００３】
【特許文献１】特開２００７−０１４５００
【０００４】
特許文献１は、本発明と同じ分野と思われるが、ハンガー中央のフックの付け根を横に若干移動し、フックをフックの付け根から横に倒している。
【発明の概要】
【０００５】
左右に肩幅を広げる為の肩幅拡張パットを有する成人衣服用ハンガーを幼児用Ｔシャツの襟ぐりより出し入れを可能にするためには、フックと一方の肩の距離の問題があって、フックと一方の肩との距離を縮めるためにフックを一時的に格納して、幼児用衣服と成人用衣服を一緒に洗濯し、幼児用ハンガーを使用することなしに幼児用衣服と成人用衣服を成人用ハンガーで乾すことが出来るようにした衣服ハンガー。
【０００６】
肩幅を左右に広げる為の肩幅拡張パットを有する衣服用ハンガーの肩幅拡張パットが十字状に変化出来て、衣服の袖ぐりと肩を前後に広げる機能を備えた衣服用ハンガーである。
【発明が解決しようとする課題】
【０００７】
特許文献１は、ハンガー中央のフックの付け根を横に移動し、フックをフックの付け根から横に倒しているが、フックを横にする前に、又、フックを立てる前にフックの付け根を横に移動する作業は手間がかかる問題点がある。
【課題を解決するための手段】
【０００８】
本願発明１、衣服用ハンガーにおいて、フック格納衣服用ハンガーは、フック格納衣服用ハンガーの中央にフック格納ケースが形成され、フック格納ケースの左右は縦に長いフックベースガイドレールであって、フック格納ケースにフック格納ケースカバーが装着され、フック格納ケースから左と右に伸びる肩アームが形成されていて、左右のフックベースガイドレールの間に設けられたフックベースにフックが装着されていて、フックベースとフックは左右のフックベースガイドレールの間で上下動自在であって、フック格納ケースの端にスプリング装着軸が設けられ、スプリング装着軸にフック跳ね上げスプリングが装着され、フック跳ね上げスプリングの一端はフックベースに形成されたスプリングはめ込み溝にはまっていて、フック格納ケースの背面にフックベースストッパー軸軸受けが形成され、フックベースストッパー軸受けにフックベースストパー軸がはっまていて、フックベースストッパーはフックベースストッパー軸を支点としてシーソー状態であって、フックを押し下げ、フックベースをフックベースストッパーで係止出来て、フックをフック格納ケース内に保持出来る、と共に、フックベースストッパー上部を押してフックをフック格納ケースの上に戻する事が出来る衣服用ハンガー。
【０００９】
前記、左右の肩アームに装着された肩幅拡張パットの上部に先割れフック軸穴が設けられ、先割れフック軸穴に肩前後拡張パットに設けられた先割れフック軸が貫通され、肩前後拡張パットは肩幅拡張パットの上部で先割れフック軸を支点として回転自在になっている衣服用ハンガー。
【００１０】
本発明２、衣服用ハンガーにおいて、フック格納衣服用ハンガーは、フック格納衣服用ハンガーの中央にフック格納ケースが形成され、フック格納ケースにフック格納ケースカバーが装着され、フック格納ケースカバーとフック格納ケースの上部の端にフックベース軸軸受けが設けられ、フックベース軸軸受けにフックを有するフックベースの一端に設けられたフックベース軸がはまっていて、フックベースはフックベース軸を支点軸として揺動できて、フックベース軸にフック跳ね上げスプリングが装着されていて、フック格納ケースの背面にフックベースストッパー軸軸受けが形成され、フックベースストッパー軸軸受けにフックベースストパー軸がはまっていて、フックベースストッパーはフックベースストッパー軸を支点としてシーソー状態になっている、と共に、フックベースストッパーの下端の位地は保たれていいて、フックを押し下げ、フックベースをフックベースストッパーで係止出来て、フックをフック格納ケース内に保持出来る、と共に、フックベースストッパー上部を押してフックをフック格納ケースの上に戻する事が出来る衣服用ハンガー。
【００１１】
衣服用ハンガーにおいて、衣服用ハンガーはフックから左右に伸びる肩アームに装着された肩幅拡張パットの上部に先割れフック軸穴が設けられ、先割れフック軸穴に肩前後拡張パットに設けられた先割れフック軸が貫通され、肩前後拡張パットは肩幅拡張パットの上部で先割れフック軸を支点として回転自在になっている、と共に肩幅拡張パットにアンダーウエアーフックが形成されている衣服用ハンガー。
【００１２】
衣服用ハンガーにおいて、衣服用ハンガーはフックから左右に伸びた肩アームであって、左右の肩アームに先割れフック軸穴が設けられ、先割れフック軸穴に肩前後拡張パットに設けられた先割れフック軸が貫通していて、肩前後拡張パットは肩アームの上部で先割れフック軸を支点として回転自在になっている衣服用ハンガー。
【００１３】
本願発明１、衣服用ハンガーにおいて、フック格納衣服用ハンガーは、フック格納衣服用ハンガーの中央にフック格納ケースが形成され、、フック格納ケースの左右は縦に長いフックベースガイドレールであって、フック格納ケースの上部は横に長いフックベース上がり止めに、下部は横に長いフックベース下がり止め成っている。
【００１４】
フック格納ケースに装着するフック格納ケースカバーにフック格納ケースカバーフックを設け、フック格納ケースにフック格納ケースを貫通するカバーフック穴を設けてあって、カバーフック穴にフック格納ケースカバーフックが留まっていて、フック格納ケースから左と右に伸びる肩アームが形成されている。
【００１５】
左右のフックベースガイドレールの間に設けるフックベースにフックが装着されていて、フックベースとフックは左右のフックベースガイドレールの間で上下動自在であって、フック格納ケースの端にフック跳ね上げスプリングを装着するスプリング装着軸が設けられ、スプリング装着軸にフックとフックベースを跳ね上げる為のフック跳ね上げスプリングが装着され、フック跳ね上げスプリングの一端はフックベースに形成されたスプリングはめ込み溝にはまっている。
【００１６】
フック格納ケースの背面にフックベースストッパー軸を有するフックベースストッパーを装着する為のフックベースストッパー軸軸受けが形成され、フックベースストッパー軸受けにフックベースストパー軸がはっまていて、フックベースストッパーはフックベースストッパー軸を支点としてシーソー状態になっている。
【００１７】
左右の肩アームに肩幅拡張パットが装着されていて、肩幅拡張パットの上部に肩前後拡張パットを装着する為の先割れフック軸穴が設けられ、肩前後拡張パットに先割れフック軸が形成され、肩幅拡張パットの先割れフック軸穴に先割れフック軸が嵌って、肩前後拡張パットは肩幅拡張パットの上部で先割れフック軸を支点として回転自在になっていて、肩幅拡張パットにアンダーウエアーフックが形成され、肩幅拡張パットの下部に肩幅拡張パット脱落止めが設けられている。
【００１８】
本発明２、衣服用ハンガーにおいて、フック格納衣服用ハンガーは、フック格納衣服用ハンガーの中央にフック格納ケースが形成され、フック格納ケースに装着するフック格納ケースカバーフックを有するフック格納ケースカバーとフック格納ケース の上部の端にフックベース軸軸受けが設けられ、フックベース軸軸受けに装着するフックを有するフックベースの一端にフックベース軸が設けられていて、フックベース軸軸受けにフックベース軸がはまっていて、フックベースはフックベース軸を支点として揺動できて、フックベース軸にフック跳ね上げスプリングが装着されている。
【００１９】
フック格納ケースとフック格納ケースカバーの上部にフック格納口が形成され、フック格納口周囲はフックベース跳ね上がり止めに成っていて、フック格納口はフックベースにより開閉されている。
【００２０】
フック格納ケースの背面にフックベースストッパー軸を有するフックベースストッパーを装着する為のフックベースストッパー軸軸受けが形成され、フックベースストッパー軸軸受けにフックベースストパー軸がはまっていて、フックベースストッパーはフックベースストッパー軸を支点としてシーソー状態になっている、と共に、フックベースストッパー軸は長方形であってフックベースストッパーの下端の位地は保たれている。
【００２１】
フック格納ケースにフック格納ケースを貫通するカバーフック穴を設けてあって、カバーフック穴にフック格納ケースカバーフックが留まっていて、フック格納ケースから左と右に伸びる肩アームが形成されている。
【００２２】
左右の肩アームに肩幅拡張パットが装着されていて、肩幅拡張パットの上部に肩前後拡張パットを装着する為の先割れフック軸穴が設けられ、肩前後拡張パットに先割れフック軸が形成され、肩幅拡張パットの先割れフック軸穴に先割れフック軸が嵌って、肩前後拡張パットは肩幅拡張パットの上部で先割れフック軸を支点として回転自在になっていて、肩幅拡張パットにアンダーウエアーフックが形成され、肩幅拡張パットの下部に肩幅拡張パット脱落止めが設けられている。
【発明の効果】
【００２３】
以下図面に基づき説明する。
本発明１、図１−図８符合１−符号２３、衣服用ハンガーにおいて、フック格納衣服用ハンガー(１)は、フック格納衣服用ハンガー(１)の中央はフック格納ケース(２)が形成され、フック格納ケース(２)の左右は縦に長いフックベースガイドレール(３)であって、フック格納ケース(２)の上部は横に長いフックベース上がり止め(４)に、下部は横に伸びるフックベース下がり止め(５)に成っていることにおいて、左右のフックベースガイドレール(３)の間に設けるフックベース(１０)とフック(１１)は左右のフックベースガイドレール(３)の間で上下動自在になっている。
【００２４】
フック格納ケース(２)の端にスプリング装着軸(１３)が設けられ、スプリング装着軸(１３)にフック(１１)を跳ね上げる為のフック跳ね上げスプリング(１２)が装着され、フック跳ね上げスプリング(１２)の一端はフックベース(１０)に形成されたスプリングはめ込み溝(１４)にはまっていて、フック格納ケース(２)の背面にフックベースストッパー軸(１５)を有するフックベースストッパー(１６)を装着する為のフックベースストッパー軸軸受け(１７)が形成され、フックベースストッパー軸軸受け(１７)にフックベースストッパー軸(１５)がはっまている、と共に、フックベースストッパー軸(１５)は長方形であってフックベースストッパー(１６)の下端の位地は保たれていることにおいて、フック(１１)を上から下に押しフックベース(１０)を下げるとフックベース(１０)の上部はフックベースストッパー(１６)の下端に係止され、フック(１１)はフック格納ケース(２)の上部に格納されて、幼児用Tシャツの襟ぐりからフック格納衣服用ハンガー(１)を挿入出来る。
【００２５】
フックベースストッパー(１６)の上端を押してフックベース(１０)の上部とフックベースストッパー(１６)の下端との係止を解くことにより、フック跳ね上げスプリング(１２)によりフックベース(１０)とフック(１１)を跳ね上げる事ができる。
【００２６】
フック格納ケース(２)から左と右に伸びる肩アーム(９)が形成されて、左右の肩アーム(９)に肩幅拡張パット(１８)が装着されていて、肩幅拡張パット(１８)の上部に肩前後拡張パット(１９)を装着する為の先割れフック軸穴(２０)が設けられ、肩前後拡張パット(１９)に先割れフック軸(２１)が形成され、肩前後拡張パット(１９)の先割れフック軸穴(２０)に先割れフック軸(２１)が嵌っていることにおいて、肩前後拡張パット(１９)は肩幅拡張パット(１８)の上部で先割れフック軸(２１)を支点として回転できて、肩幅拡張パット(１８)と肩前後拡張パット(１９)を十字状にして衣服の肩を前後に広げる事ができて、又、襟ぐりの大きなノースリーブが風による脱落防止が出来る。
【００２７】
本発明２、図９−図１６符合５１−符号７２、衣服用ハンガーにおいて、フック格納衣服用ハンガー(５１)は、フック格納衣服用ハンガー(５１)の中央にフック格納ケース(５２)が形成され、フック格納ケース(５２)に装着するフック格納ケースカバーフック(５３)を有するフック格納ケースカバー(５４)とフック格納ケース(５２) の上部の端にフックベース軸軸受け(５５)が設けられ、フックベース軸軸受け(５５)に装着するフック(５６)を有するフックベース(５７)の一端にフックベース軸(５８)が設けられていて、フックベース軸軸受け(５５)にフックベース軸(５８)がはまっていることにおいて、フックベース(５７)はフックベース軸(５８)を支点として揺動できる。
【００２８】
フック格納ケース(５２)の背面にフックベースストッパー軸(６２)を有するフックベースストッパー(６３)を装着する為のフックベースストッパー軸軸受け(６４)が形成され、フックベースストッパー軸軸受け(６４)にフックベースストパー軸(６２)がはまっていて、フックベースストッパー(６３)はフックベースストッパー軸(６２)を支点軸としてシーソー状態になっている、と共に、フックベースストッパー軸(６２)は長方形であってフックベースストッパー(６３)の下端の位地は保たれていることにおいて、フック(５６)を下に押し、フックベース(５７)を下げるとフック(５６)とフックベース(５７)は回転し、フックベース(５７)の下部はフック格納ケース(５２)の横面に当たる、と共にフックベース(５７)の上部はフックベースストッパー(６３)の下端に係止されて、フック(５６)はフック格納ケース(５２)内の上部に格納され、幼児用Tシャツの襟ぐりからフック格納衣服用ハンガー(５１)を挿入出来る。
【００２９】
フック格納ケース(５２)から左と右に伸びる肩アーム(６６)が形成されて、左右の肩アーム(６６)に肩幅拡張パット(６７)が装着されていて、肩幅拡張パット(６７)の上部に肩前後拡張パット(６８)を装着する為の先割れフック軸穴(６９)が設けられ、肩前後拡張パット(６８)に先割れフック軸(７０)が形成され、肩幅拡張パット(６７)の先割れフック軸穴(６９)に先割れフック軸(７０)が嵌っていることにおいて、肩前後拡張パット(６８)は肩幅拡張パット(６７)の上部で先割れフック軸(７０)を支点として回転自在になっている。
【００３０】
フックベース軸(５８)にフック跳ね上げスプリング(５９)が装着され、フック格納ケース(５２)とフック格納ケースカバー(５４)の上部にフック格納口(６０)が形成され、フック格納口(６０)周囲はフックベース跳ね上がり止め(６１)に成っていることにおいて、フックベースストッパー(６３)の上端を押して、フックベース(５７)の上部とフックベースストッパー(６３)の下端との係止を解くことにより、フック跳ね上げスプリング(５９)によりフックベース(５７)はフックベース跳ね上がり止め(６１)に当たって、フック(５６)はフック格納ケース(５２)の上に出る、と共に、フック格納口(６０)はフックベース(５７)により塞がっている。
【図面の簡単な説明】
【００３１】
【図１】衣服用ハンガー(１)の正面図。
【図２】衣服用ハンガー(１)の背面図。
【図３】Ａ−Ａ切断線を示す衣服用ハンガー(１)の平面図。
【図４】図３のＡ−Ａ線切断端面図。
【図５】肩幅拡張パット(１８)とフック格納ケースカバー(６)を外した衣服用ハンガー(１)の正面図。
【図６】肩幅拡張パット(１８)とフック格納ケースカバー(６)を外してフック(１１)がフック格納ケース(２)に格納された衣服用ハンガー(１)の正面図。
【図７】肩前後拡張パット(１９)を９０度回して、肩幅拡張パット(１８)と肩前後拡張パット(１９)を十字にしたフック格納衣服用ハンガー(１)の平面図。
【図８】肩幅拡張パット(１８)の底面図。
【図９】衣服用ハンガー(５１)の正面図。
【図１０】衣服用ハンガー(５１)の背面図。
【図１１】肩幅拡張パット(６７)とフック格納ケースカバー(５４)を外した衣服用ハンガー(５１)の正面図。
【図１２】肩幅拡張パット(６７)とフック格納ケースカバー(５４)を外してフック(５６)がフック格納ケース(５２)に格納された衣服用ハンガー(１)の正面図。
【図１３】B−B切断線を示す衣服用ハンガー(５１)の平面図。
【図１４】図１３のB−B線切断端面図。
【図１５】肩前後拡張パット(６８)を９０度回して、肩幅拡張パット(６７)と肩前後拡張パット(６８)を十字にしたフック格納衣服用ハンガー(５１)の平面図。
【図１６】肩幅拡張パット(６７)の底面図。
【発明を実施するための形態】
【００３２】
以下図面に基づき説明する。
本発明１、図１−図８符合１−符号２３、衣服用ハンガーにおいて、フック格納衣服用ハンガー(１)は、フック格納衣服用ハンガー(１)の中央にフック格納ケース(２)が形成され、、フック格納ケース(２)の左右は縦に長いフックベースガイドレール(３)であって、フック格納ケース(２)の上部は横に長いフックベース上がり止め(４)に、下部は横に長いフックベース下がり止め(５)成っている。
【００３３】
フック格納ケース(２)に装着するフック格納ケースカバー(６)にフック格納ケースカバーフック(７)を設け、フック格納ケース(２)にフック格納ケース(２)を貫通するカバーフック穴(８)を設けてあって、カバーフック穴(８)にフック格納ケースカバーフック(７)が留まっていて、フック格納ケース(２)から左と右に伸びる肩アーム(９)が形成されている。
【００３４】
左右のフックベースガイドレール(３)の間に設けるフックベース(１０)にフック(１１)が装着されていて、フックベース(１０)とフック(１１)は左右のフックベースガイドレール(３)の間で上下動自在であって、フック格納ケース(２)の端にフック跳ね上げスプリング(１２)を装着するスプリング装着軸(１３)が設けられ、スプリング装着軸(１３)にフック(１１)とフックベース(１０)を跳ね上げる為のフック跳ね上げスプリング(１２)が装着され、フック跳ね上げスプリング(１２)の一端はフックベース(１０)に形成されたスプリングはめ込み溝(１４)にはまっている。
【００３５】
フック格納ケース(２)の背面にフックベースストッパー軸(１５)を有するフックベースストッパー(１６)を装着する為のフックベースストッパー軸軸受け(１７)が形成され、フックベースストッパー軸受け(１７)にフックベースストパー軸(１５)がはっまていて、フックベースストッパー(１６)はフックベースストッパー軸(１５)を支点としてシーソー状態になっている。
【００３６】
左右の肩アーム(９)に肩幅拡張パット(１８)が装着されていて、肩幅拡張パット(１８)の上部に肩前後拡張パット(１９)を装着する為の先割れフック軸穴(２０)が設けられ、肩前後拡張パット(１９)に先割れフック軸(２１)が形成され、肩幅拡張パット(１８)の先割れフック軸穴(２０)に先割れフック軸(２１)が嵌って、肩前後拡張パット(１９)は肩幅拡張パット(１８)の上部で先割れフック軸(２１)を支点として回転自在になっていて、肩幅拡張パット(１８)にアンダーウエアーフック(２２)が形成され、肩幅拡張パット(１８)の下部に肩幅拡張パット脱落止め(２３)が設けられている。
【００３７】
フック格納衣服用ハンガー(１)の使用方法は、フック(１１)を下に押し、フックベース(１０)を下げるとフックベース(１０)の下部は横に長いフックベース下がり止め(５)に当たる、と共にフックベース(１０)の上部はフックベースストッパー(１６)の下端に係止されて、フック(１１)はフック格納ケース(２)内の上部に格納されて、Tシャツの襟ぐりからフック格納衣服用ハンガー(１)を挿入して、フックベースストッパー(１６)の上端を押してフックベース(１０)の上部とフックベースストッパー(１６)の下端との係止を解くことにより、フック跳ね上げスプリング(１２)によりフックベース(１０)はフック格納ケース(２)の上部の横に長いフックベース上がり止め(４)に当たって止まってフック(１１)はフック格納ケース(２)の上の外に出る。
【００３８】
本発明２、図９−図１６符合５１−符号７２、衣服用ハンガーにおいて、フック格納衣服用ハンガー(５１)は、フック格納衣服用ハンガー(５１)の中央にフック格納ケース(５２)が形成され、フック格納ケース(５２)に装着するフック格納ケースカバーフック(５３)を有するフック格納ケースカバー(５４)とフック格納ケース(５２) の上部の端にフックベース軸軸受け(５５)が設けられ、フックベース軸軸受け(５５)に装着するフック(５６)を有するフックベース(５７)の一端にフックベース軸(５８)が設けられていて、フックベース軸軸受け(５５)にフックベース軸(５８)がはまっていて、フックベース(５７)はフックベース軸(５８)を支点として揺動できて、フックベース軸(５８)にフック跳ね上げスプリング(５９)が装着されている。
【００３９】
フック格納ケース(５２)とフック格納ケースカバー(５４)の上部にフック格納口(６０)が形成され、フック格納口(６０)周囲はフックベース跳ね上がり止め(６１)に成っていて、フック格納口(６０)はフックベース(５７)により開閉されている。
【００４０】
フック格納ケース(５２)の背面にフックベースストッパー軸(６２)を有するフックベースストッパー(６３)を装着する為のフックベースストッパー軸軸受け(６４)が形成され、フックベースストッパー軸軸受け(６４)にフックベースストパー軸(６２)がはまっていて、フックベースストッパー(６３)はフックベースストッパー軸(６２)を支点としてシーソー状態になっている、と共に、フックベースストッパー軸(６２)は長方形であってフックベースストッパー(６３)の下端の位地は保たれている。
【００４１】
フック格納ケース(５２)にフック格納ケース(５２)を貫通するカバーフック穴(６５)を設けてあって、カバーフック穴(６５)にカバーフック(５３)が留まっていて、フック格納ケース(５２)から左と右に伸びる肩アーム(６６)が形成されている。
【００４２】
左右の肩アーム(６６)に肩幅拡張パット(６７)が装着されていて、肩幅拡張パット(６７)の上部に肩前後拡張パット(６８)を装着する為の先割れフック軸穴(６９)が設けられ、肩前後拡張パット(６８)に先割れフック軸(７０)が形成され、肩幅拡張パット(６７)の先割れフック軸穴(６９)に先割れフック軸(７０)が嵌って、肩前後拡張パット(６８)は肩幅拡張パット(６７)の上部で先割れフック軸(７０)を支点として回転自在になっていて、肩幅拡張パット(６７)にアンダーウエアーフック(７１)が形成され、肩幅拡張パット(６７)の下部に肩幅拡張パット脱落止め(７２)が設けられている。
【００４３】
フック格納衣服用ハンガー(５１)の使用方法は、フック(５６)を下に押し、フックベース(５７)を下げるとフック(５６)とフックベース(５７)は回転し、フックベース(５７)の下部はフック格納ケース(５２)の内横面に当たる、と共にフックベース(５７)の上部はフックベースストッパー(６３)の下端に係止されて、フック(５６)はフック格納ケース(５２)内の上部に格納されて、Tシャツの襟ぐりからフック格納衣服用ハンガー(５１)を挿入して、フックベースストッパー(６３)の上端を押して、フックベース(５７)の上部とフックベースストッパー(６３)の下端との係止を解くことにより、フック跳ね上げスプリング(５９)によりフックベース(５７)はフックベース跳ね上がり止め(６１)に当たって、フック(５６)はフック格納ケース(５２)の上に出る、と共に、フック格納口(６０)はフックベース(５７)により塞がっている。
【産業上の利用可能性】
【００４４】
幼児用Ｔシャツと大人の衣服を一緒に洗濯して子供用のハンガーを使用しないで  本発明のハンガーで大人と子供の洗濯物を干す事ができて使い勝手が良く、又、安価に製造できる。
【符号の説明】
【００４５】
１  フック格納衣服用ハンガー
２  フック格納ケース
３  フックベースガイドレール
４  フックベース上がり止め
５  フックベース下がり止め
６  フック格納ケースカバー
７  フック格納ケースカバーフック
８  カバーフック穴
９  肩アーム
１０  フックベース
１１  フック
１２  フック跳ね上げスプリング
１３  スプリング装着軸
１４  スプリングはめ込み溝
１５  フックベースストッパー軸
１６  フックベースストッパー
１７  フックベースストッパー軸軸受け
１８  肩幅拡張パット
１９  肩前後拡張パット
２０  先割れフック軸穴
２１  先割れフック軸
２２  アンダーウエアーフック
２３  肩幅拡張パット脱落止め
５１  フック格納衣服用ハンガー
５２  フック格納ケース
５３  フック格納ケースカバーフック
５４  フック格納ケースカバー
５５  フックベース軸軸受け
５６  フック
５７  フックベース
５８  フックベース軸
５９  フック跳ね上げスプリング
６０  フック格納口
６１  フックベース跳ね上がり止め
６２  フックベースストッパー軸
６３  フックベースストッパー
６４  フックベースストッパー軸軸受け
６５  カバーフック穴
６６  肩アーム
６７  肩幅拡張パット
６８  肩前後拡張パット
６９  先割れフック軸穴
７０  先割れフック軸
７１  アンダーウエアーフック
７２  肩幅拡張パット脱落止め
【図１】
2019005253.tif 000003
【図２】
2019005253.tif 000004
【図３】
2019005253.tif 000005
【図４】
2019005253.tif 000006
【図５】
2019005253.tif 000007
【図６】
2019005253.tif 000008
【図７】
2019005253.tif 000009
【図８】
2019005253.tif 000010
【図９】
2019005253.tif 000011
【図１０】
2019005253.tif 000012
【図１１】
2019005253.tif 000013
【図１２】
2019005253.tif 000014
【図１３】
2019005253.tif 000015
【図１４】
2019005253.tif 000016
【図１５】
2019005253.tif 000017
【図１６】
2019005253.tif 000018